(57)【要約】【課題】楽曲データを含む多様なコンテンツを提供することができ、かつ、課金手法まで確立されたコンテンツ提供システムを実現すること。【解決手段】登録者側装置は、楽曲データを含むコンテンツをコンテンツ管理サーバに対して登録する。基盤アプリ提供者側装置が提供する基盤アプリケーションがインストールされた需要者側装置は、基盤アプリケーションを利用してコンテンツをコンテンツ管理サーバからダウンロードする。通信事業者側装置は、基盤アプリ提供者側装置からコンテンツのダウンロード料金情報を取得し需要者側装置に対して通信サービス料金と共にコンテンツのダウンロード料金を課金して、支払われた料金の少なくとも一部をコンテンツ管理サーバに対して支払う。【選択図】図３
2013254281.tif 000002
【特許請求の範囲】
【請求項１】
楽曲データを含むコンテンツをコンテンツ管理サーバに対して登録する登録者側装置と、前記コンテンツを管理するコンテンツ管理サーバと、前記コンテンツを提供する基盤となる基盤アプリケーションを供給する基盤アプリ提供者側装置と、前記コンテンツを前記コンテンツ管理サーバからダウンロードする需要者側装置と、前記需要者側装置に対して課金する通信事業者側装置とを備えるコンテンツ提供システムであって、
前記登録者側装置は、前記コンテンツを前記コンテンツ管理サーバにより供給される登録画面から前記コンテンツ管理サーバに対して登録するコンテンツ登録手段を備え、
前記コンテンツ管理サーバは、登録された前記コンテンツに関する情報を前記基盤アプリ提供者側装置に対して送信するコンテンツ関連情報送信手段を備え、
前記基盤アプリ提供者側装置は、前記コンテンツがダウンロード可能である旨の表示を前記基盤アプリケーションにより前記需要者側装置に対して公開するコンテンツ表示公開手段を備え、
前記需要者側装置は、前記需要者により前記表示が選択されると、前記コンテンツを前記コンテンツ管理サーバからダウンロードするコンテンツダウンロード手段を備え、
前記需要者側装置は、前記ダウンロードされたコンテンツを出力するコンテンツ出力手段を備え、
前記通信事業者側装置は、前記基盤アプリケーションを介して前記コンテンツのダウンロードに関する情報を収集する前記基盤アプリ提供者側装置から、前記需要者側装置の前記コンテンツのダウンロードに応じたダウンロード料金に関する情報を取得する料金情報取得手段を備え、
前記通信事業者側装置は、その通信事業者が提供する通信サービスを利用する機能を備える前記需要者側装置に対して、該通信サービスの利用に応じた通信料金及び前記ダウンロード料金に関する情報に基づく前記ダウンロード料金を課金し、前記需要者側装置から支払われた料金の少なくとも一部を前記コンテンツ管理サーバに対して支払う課金手段を備える
ことを特徴とするコンテンツ提供システム。
【請求項２】
前記登録者側装置のコンテンツ登録手段は、特定の前記楽曲データに関するコンテンツを前記登録画面から前記コンテンツ管理サーバに対して追加して登録することを特徴とする請求項１に記載のコンテンツ提供システム。
【請求項３】
前記需要者側装置のコンテンツダウンロード手段は、複数の前記コンテンツを一組として取り扱う場合、該複数の前記コンテンツの存在を示す表示を出力するとともに、該複数の前記コンテンツの一部分をダウンロードして、該複数の前記コンテンツの残りの部分については前記需要者により前記存在を示す表示が選択されるにしたがって一部分ずつ段階的にダウンロードすることを特徴とする請求項１又は２に記載のコンテンツ提供システム。
【請求項４】
前記コンテンツは、前記楽曲データと、音声データ、テキストデータ、その他の情報に関するデータ及び画像データの少なくとも１つのデータとを含むことを特徴とする請求項１から３のいずれか１項に記載のコンテンツ提供システム。
【請求項５】
前記コンテンツは、カラオケバージョンの前記楽曲データと、カラオケ字幕データとを含むことを特徴とする請求項１から４のいずれか１項に記載のコンテンツ提供システム。
【請求項６】
前記コンテンツは、前記楽曲データと、撮像データとを含むことを特徴とする請求項１から４のいずれか１項に記載のコンテンツ提供システム。
【請求項７】
前記基盤アプリ提供者側装置のコンテンツ表示公開手段は、検索結果に応じて前記コンテンツがダウンロード可能である旨の表示を前記基盤アプリケーションにより前記需要者側装置に対して公開することを特徴とする請求項１から６のいずれか１項に記載のコンテンツ提供システム。
【請求項８】
一部の前記コンテンツのダウンロードに応じたダウンロード料金は無料であることを特徴とする請求項１から７のいずれか１項に記載のコンテンツ提供システム。
【請求項９】
前記コンテンツ管理サーバは、前記通信事業者側装置から支払われた料金の少なくとも一部を前記登録者側装置に対して還元する料金還元手段を備えることを特徴とする請求項１から８のいずれか１項に記載のコンテンツ提供システム。
【請求項１０】
前記通信事業者側装置の課金手段は、前記需要者側装置から支払われた料金の少なくとも一部を前記基盤アプリ提供者側装置又は前記基盤アプリケーションがインストールされた前記需要者側装置の製造者が利用する製造者側装置に対して支払うことを特徴とする請求項１から９のいずれか１項に記載のコンテンツ提供システム。
【請求項１１】
前記コンテンツ管理サーバは、登録された前記コンテンツに関する所定のＷｅｂサイトを前記需要者側装置に対して公開するＷｅｂサイト公開手段を備えることを特徴とする請求項１から１０のいずれか１項に記載のコンテンツ提供システム。
【発明の詳細な説明】
【技術分野】
【０００１】
本発明は、楽曲データを含むコンテンツを提供する技術に関する。
【背景技術】
【０００２】
現在、音楽を含む「コンテンツ」が、ＣＤ等の「物理メディア」から、ファイル（データ）等の「論理情報」へ変化してきている。
楽曲の「ＣＤが売れない」現状がある一方、楽曲の「ダウンロード販売」は伸びているが、物理的な「モノ」が無いため所有する喜びに欠ける等の不都合がある。
【０００３】
関連技術として、楽曲・映像データそのものは無形であるため、所有する喜びに欠けるものとなっており、ダウンロードに際しても複雑な手順が要求されるという課題を解決するものが提案されている。上記の課題を解決するために、ダウンロードで当該データを購入する場合であっても、有形のＣＤ類似の媒体に写真等を印刷するなどして供給することにより、需要者の所有欲を満たし、手軽にダウンロード可能な楽曲・映像データ提供システムを提供する技術が開示されている（特許文献１参照）。
【先行技術文献】
【特許文献】
【０００４】
特開２０１１−２５７８９０号公報
【発明の概要】
【発明が解決しようとする課題】
【０００５】
今日においては、音楽の楽しみ方が拡張している。すなわち、「音楽」とは、文字通りそもそも「音」を「楽しむ」ものであり、そこには、「歌詞」や「曲」だけではない、別の要素がある。例えば、「ＣＤ」「レコード」等の有形の媒体、「音楽本体」である楽曲、「デザイン」としてのＣＤケースやＣＤ本体、「コンテンツ」としてのライナーノーツ等である。
【０００６】
従来の「ＣＤ」は上記のいずれの要素も、「作った地点」で凍結された情報であり、上記の関連技術が提供するＣＤ類似の媒体による付加価値も同様である。したがって、上記の各要素について「楽曲に合わせて」、「シチュエーションに合わせて」、「時期をずらして」、「最新情報を」、「写真や動画等の付加情報とともに」などを自在に実現することは困難であった
【０００７】
一方、楽曲データをインターネット等を介してダウンロードすることで提供するサービスにおいては、課金手法を効果的・効率的に設計することが困難な事情もある。
【０００８】
本発明の目的は、楽曲データを含む多様なコンテンツを提供することができ、かつ、課金手法まで確立されたコンテンツ提供システムを提供することにある。
【課題を解決するための手段】
【０００９】
本発明のコンテンツ提供システムは、楽曲データを含むコンテンツをコンテンツ管理サーバに対して登録する登録者側装置と、コンテンツを管理するコンテンツ管理サーバと、コンテンツを提供する基盤となる基盤アプリケーションを供給する基盤アプリ提供者側装置（Ｇｏｏｇｌｅ（登録商標）側装置、Ａｐｐｌｅ（登録商標）側装置、Ａｍａｚｏｎ（登録商標）側装置等）と、コンテンツをコンテンツ管理サーバからダウンロードする需要者側装置と、需要者側装置に対して課金する通信事業者側装置とを備えるコンテンツ提供システムであって、登録者側装置は、コンテンツをコンテンツ管理サーバにより供給される登録画面からコンテンツ管理サーバに対して登録するコンテンツ登録手段を備え、コンテンツ管理サーバは、登録されたコンテンツに関する情報を基盤アプリ提供者側装置に対して送信するコンテンツ関連情報送信手段を備え、基盤アプリ提供者側装置は、コンテンツがダウンロード可能である旨の表示（アイコン等）を基盤アプリケーションにより需要者側装置に対して公開するコンテンツ表示公開手段を備え、需要者側装置は、需要者により表示が選択されると、コンテンツをコンテンツ管理サーバからダウンロードするコンテンツダウンロード手段を備え、需要者側装置は、ダウンロードされたコンテンツを出力するコンテンツ出力手段を備え、通信事業者側装置は、基盤アプリケーションを介してコンテンツのダウンロードに関する情報を収集する基盤アプリ提供者側装置から、需要者側装置のコンテンツのダウンロードに応じたダウンロード料金に関する情報を取得する料金情報取得手段を備え、通信事業者側装置は、その通信事業者が提供する通信サービスを利用する機能を備える需要者側装置に対して、該通信サービスの利用に応じた通信料金及びダウンロード料金に関する情報に基づくダウンロード料金を課金し、需要者側装置から支払われた料金の少なくとも一部をコンテンツ管理サーバに対して支払う課金手段を備えることを特徴とする。
【発明の効果】
【００１０】
本発明によれば、楽曲データを含む多様なコンテンツを提供することができ、かつ、課金手法まで確立されたコンテンツ提供システムを実現することができる。
【図面の簡単な説明】
【００１１】
【図１】本発明の第１の実施の形態に係るコンテンツ提供システムの構成を示す図である。
【図２】本発明の第１の実施の形態に係るコンテンツ提供システムの各部の機能ブロック図である。
【図３】本発明の第１の実施の形態に係るコンテンツ提供システムの処理動作の全体を説明する図である。
【図４】本発明の第１の実施の形態に係るコンテンツ提供システムの処理動作を示すシーケンス図である。
【図５】本発明の第１の実施の形態に係る需要者側装置の処理動作の一例を説明する図である。
【図６】図５におけるコンテンツの第１のダウンロード画面を示す図である。
【図７】図５におけるコンテンツの第２のダウンロード画面を示す図である。
【図８】図５におけるコンテンツの出力画面を示す図である。
【図９】本発明の第１の実施の形態に係る登録者側装置の処理動作の一例を説明する図である。
【図１０】図９における登録画面を示す図である。
【図１１】本発明の第２の実施の形態に係るＷｅｂサイトのメイン画面を示す図である。
【発明を実施するための形態】
【００１２】
以下、本発明の第１の実施の形態を図面を参照しつつ説明する。
本実施の形態における情報提供システムの構成を図１を参照して説明する。
【００１３】
図１に示すように、コンテンツ提供システム１０は、登録者側装置１００と、コンテンツ管理サーバ２００と、基盤アプリ提供者側装置３００と、需要者側装置４００と、通信事業者側装置５００から構成されている。
【００１４】
登録者側装置１００と、コンテンツ管理サーバ２００は所定のネットワークを介して接続されている。また、コンテンツ管理サーバ２００と、基盤アプリ提供者側装置３００と、需要者側装置４００と、通信事業者側装置５００は所定のネットワークを介してそれぞれ接続されている。
上記の所定のネットワークは、インターネット・ＬＡＮ（Local Area Network）等であってよく、また有線・無線等は問わない。
【００１５】
登録者側装置１００は、ＣＰＵ（Central
Processing Unite）により制御され、ＲＯＭ（Read Only Memory）・ＲＡＭ（Random Access Memory）等の記憶手段を備え、公知の入出力手段を備える情報処理装置である。例えば、パーソナル・コンピュータ、いわゆるスマートフォン等の携帯端末などである。製作されたコンテンツをコンテンツ管理サーバ２００に対して登録するアーティスト等により用いられる。
【００１６】
コンテンツ管理サーバ２００は、ＣＰＵにより制御され、ＲＯＭ・ＲＡＭ等の記憶手段を備え、公知の入出力手段を備える情報処理装置である。例えば、ワークステーション、高機能のパーソナル・コンピュータ等である。コンテンツ提供サービスの提供事業者により運営されてよい。
【００１７】
基盤アプリ提供者側装置３００は、ＣＰＵにより制御され、ＲＯＭ・ＲＡＭ等の記憶手段を備え、公知の入出力手段を備える情報処理装置である。そのような情報処理装置等を中心に構成される情報処理システムであってもよい。例えば、複数の情報処理装置により構成されたり、いわゆるクラウド型の構成により実現されてよい。
コンテンツを提供する基盤となる基盤アプリケーションとは、例えば、Ｇｏｏｇｌｅ（登録商標）が提供するＧｏｏｇｌｅ  Ｐｌａｙ  Ａｐｐ  Ｓｔｏｒｅ、Ａｐｐｌｅ（登録商標）が提供するｉＴｕｎｅ  Ａｐｐ  Ｓｔｏｒｅ、Ａｍａｚｏｎ（登録商標）が提供するＡｐｐ  Ｓｔｏｒｅ等がある。
基盤アプリ（基盤アプリケーション）提供者とは、例えば、上記のＧｏｏｇｌｅ（登録商標）、Ａｐｐｌｅ（登録商標）、Ａｍａｚｏｎ（登録商標）等の事業運営主体をいう。
【００１８】
需要者側装置４００は、ＣＰＵにより制御され、ＲＯＭ・ＲＡＭ等の記憶手段を備え、公知の入出力手段を備える情報処理装置である。特に、液晶ディスプレイ等の表示手段やスピーカ等の楽曲出力手段を備える。例えば、パーソナル・コンピュータ、いわゆるスマートフォン等の携帯端末などである。コンテンツをコンテンツ管理サーバ２００からダウンロードして購入するスマホユーザ等により用いられる。
【００１９】
通信事業者側装置５００は、ＣＰＵにより制御され、ＲＯＭ・ＲＡＭ等の記憶手段を備え、公知の入出力手段を備える情報処理装置である。そのような情報処理装置等を中心に構成される情報処理システムであってもよい。例えば、複数の情報処理装置により構成されたり、いわゆるクラウド型の構成により実現されてよい。
通信事業者とは、いわゆる通信キャリアであり、例えば、ＮＴＴドコモ（登録商標）、ソフトバンクモバイル（登録商標）、ＫＤＤＩ（登録商標）、ウィルコム（登録商標）等をいう。
【００２０】
コンテンツ提供システム１０を構成する、登録者側装置１００と、コンテンツ管理サーバ２００と、基盤アプリ提供者側装置３００と、需要者側装置４００と、通信事業者側装置５００は、主として情報処理装置であり、これらの詳細な構成は公知の種々の技術が適用されてよく、上記した以外の説明はここでは省略する。
【００２１】
図２に、本実施の形態に係るコンテンツ提供システム１０を構成する、登録者側装置１００と、コンテンツ管理サーバ２００と、基盤アプリ提供者側装置３００と、需要者側装置４００と、通信事業者側装置５００の機能ブロックを示す。
【００２２】
登録者側装置１００は、コンテンツ登録部１０１と、料金受領部１０２を備える。各部はＣＰＵ等により実現されてよい。
コンテンツ登録部１０１は、楽曲データを含むコンテンツを登録画面からコンテンツ管理サーバ２００に対して登録する機能を有している。コンテンツ登録部１０１は、特定の楽曲データに関するコンテンツを登録画面から追加してコンテンツ管理サーバ２００に対して登録する機能を有している。登録者側装置１００の処理動作は図９も参照のこと。
料金受領部１０２は、コンテンツのダウンロードの対価として需要者側装置４００が支払った料金の少なくとも一部をコンテンツ管理サーバ２００から受領する機能を有している。
【００２３】
コンテンツ管理サーバ２００は、コンテンツ受付部２０１と、コンテンツ関連情報送信部２０２と、コンテンツ管理部２０３と、コンテンツ提供部２０４と、料金受領部２０５と、料金還元部２０６を備える。各部はＣＰＵ等により実現されてよい。
コンテンツ受付部２０１は、楽曲データを含むコンテンツの登録を登録者側装置１００から受け付ける機能を有している。
コンテンツ関連情報送信部２０２は、登録されたコンテンツに関する情報（例えば、ジャケ写に相当するアイコン等）を基盤アプリ提供者側装置３００に対して送信する機能を有している。
コンテンツ管理部２０３は、楽曲データを含むコンテンツを登録者の識別情報とそれぞれ紐付けて所定の記憶部に保存して管理する機能を有している。
コンテンツ提供部２０４は、登録されたコンテンツを需要者側装置４００に対して提供する機能を有している。
料金受領部２０５は、コンテンツのダウンロードの対価として需要者側装置４００が支払った料金の少なくとも一部を通信事業者側装置５００から受領する機能を有している。
料金還元部２０６は、通信事業者側装置５００から受領した、コンテンツのダウンロードの対価として需要者側装置４００が支払った料金の少なくとも一部を登録者側装置１００に対して還元する機能を有している。
【００２４】
基盤アプリ提供者側装置３００は、コンテンツ表示公開部３０１と、料金情報提供部３０２を備える。各部はＣＰＵ等により実現されてよい。
コンテンツ表示公開部３０１は、コンテンツ管理サーバ２００に登録されているコンテンツがコンテンツ管理サーバ２００からダウンロード可能である旨の表示（例えば、ジャケ写に相当するアイコン等）を基盤アプリケーションにより需要者側装置４００に対して公開する機能を有している。また、コンテンツ表示公開部３０１は、需要者側装置４００の需要者の検索操作に基づく検索結果に応じてコンテンツがコンテンツ管理サーバ２００からダウンロード可能である旨の表示を公開する機能を有している。
料金情報提供部３０２は、需要者側装置４００にインストールされている基盤アプリケーションを介して需要者側装置４００のコンテンツ管理サーバ２００からのコンテンツのダウンロードに関する情報を収集して、そのダウンロードに応じたダウンロード料金に関する情報を通信事業者側装置５００やコンテンツ管理サーバ２００に対して提供する機能を有している。
【００２５】
需要者側装置４００は、コンテンツダウンロード部４０１と、コンテンツ出力部４０２を備える。各部はＣＰＵ等により実現されてよい。
コンテンツダウンロード部４０１は、コンテンツをコンテンツ管理サーバ２００からダウンロードする機能を有している。コンテンツダウンロード部４０１は、複数のコンテンツを一組として取り扱う場合、例えば、複数の楽曲からなるＣＤアルバムに類似したパッケージ等、該複数のコンテンツの存在を示す表示（アイコン等）を出力するとともに、該複数のコンテンツの一部分（１曲のみ等）を最初のダウンロード動作の実施によりダウンロードする。そして、該複数のコンテンツの残りの部分については需要者により、２曲目以降の存在を示す表示（アイコン等）が選択されるにしたがって一部分（１曲）ずつ段階的にダウンロードする機能を有している（図７も参照）。需要者側装置４００の処理動作は図５も参照のこと。
コンテンツ出力部４０２は、コンテンツ管理サーバ２００からダウンロードしたコンテンツを出力する機能を有している。例えば、ディスプレイによる文字・画像等の表示、スピーカによる楽曲・音声等の出力等である。
【００２６】
通信事業者側装置５００は、料金情報取得部５０１と、課金部５０２を備える。各部はＣＰＵ等により実現されてよい。
料金情報取得部５０１は、基盤アプリ提供者側装置３００から、需要者側装置４００のコンテンツのダウンロードに応じたダウンロード料金に関する情報を取得する機能を有している。
課金部５０２は、通信事業者が提供する通信サービスを利用する機能を備える需要者側装置４００に対して、その通信サービスの利用に応じた通信料金及び上記ダウンロード料金に関する情報に基づくダウンロード料金を課金する機能を有している。また、課金部５０２は、需要者側装置４００から支払われた料金の少なくとも一部をコンテンツ管理サーバ２００に対して支払う機能を有している。また、課金部５０２は、需要者側装置４００から支払われた料金の少なくとも一部を基盤アプリ提供者側装置３００又は基盤アプリケーションがインストールされた需要者側装置４００の製造者（端末製造メーカ）が利用する製造者側装置に対して支払う機能を有している。なお、料金の支払いは各装置等の間で直接決済が実施されるものに限らず、所定の金融機関の口座等を用いた決済に関するデータのやり取り等を含む広い概念である。
【００２７】
次に、本実施の形態に係るコンテンツ提供システム１０の処理動作を、図３の説明図及び図４のシーケンス図を参照して詳細に説明する。その他の図面も適宜参照する。
ここでは、基盤アプリ提供者側装置３００としては基盤アプリ（基盤アプリケーション）の提供者であるＧｏｏｇｌｅ（登録商標）側の装置ないしはシステムを前提とする。
また、基盤アプリケーションとしては、Ｇｏｏｇｌｅ（登録商標）が提供するＧｏｏｇｌｅ  Ｐｌａｙ  Ａｐｐ  Ｓｔｏｒｅを前提とする。
また、コンテンツ管理サーバ２００は、ＧｅｅＭＡというサービス・システムを提供するものとする。ＧｅｅＭＡは、対登録者のＩ／Ｆでありコンテンツを登録／管理する「ＧｅｅＭＡ  Ｇａｔｅｗａｙ」と、対需要者のＩ／Ｆでありメイン画面としてコンテンツを管理する「ＧｅｅＭＡ  Ｐｏｒｔａｌ」と、対需要者のＩ／Ｆであり購入されたコンテンツを出力する「ＧｅｅＭＡ  Ｐｒｅｓｅｎｔｅｒ」を備える。ＧｅｅＭＡは、「音楽を、アクティブに楽しむ」、「音楽と、他の情報を連携させる」、「音楽と、アーティストを繋げる」、「音楽が、もっと楽しくなる」、「ユーザが楽しめる」、「ユーザに負担が少ない」、「ユーザとアーティストとの新しい繋がり」を実現するスマホアプリであり、常に「新しい音楽の楽しみ方」を提案する。
また、需要者側装置４００としては、Ａｎｄｒｏｉｄ（登録商標）対応携帯端末（以下、「対応端末」という。）を前提とする。対応端末のユーザは、Ｇｏｏｇｌｅ  Ｐｌａｙ  Ａｐｐ  Ｓｔｏｒｅを使用して、対応端末用のプロダクト（データファイル、アプリケーション、記述されたテキスト、携帯端末ソフトウェア、音楽、音声ファイル又はその他の音声データ、写真、動画又はその他の画像）を閲覧、検索、ダウンロードすることができる。
【００２８】
図４に示すように、まず、コンテンツ管理サーバ２００（管理者）は、ＧｅｅＭＡによりＧｏｏｇｌｅ（登録商標）が提供するＧｏｏｇｌｅ  Ｐｌａｙ  Ａｐｐ  Ｓｔｏｒｅにおいてコンテンツを提供する契約を基盤アプリ提供者側装置３００（事業者）と締結する（図３参照）する（ステップＳ４０１）。
【００２９】
登録者側装置１００のコンテンツ登録部１０１は、コンテンツをコンテンツ管理サーバ２００により供給される登録画面（図１０参照）からコンテンツ管理サーバ２００のコンテンツ受付部２０１に対して登録（図３参照）する（ステップＳ４０２）。併せて、ダウンロード可能である旨の表示として表示されるアイコン等を指定して登録する。なおコンテンツ管理サーバ２００のコンテンツ管理部２０３は、楽曲データを含むコンテンツを登録者の識別情報とそれぞれ紐付けて所定の記憶部に保存して管理する。
具体的には、例えば、図９及び図１０に示すような、「ＧｅｅＭＡ  Ｇａｔｅｗａｙ」により実現されるコンテンツのＷｅｂ登録画面を登録者側装置１００の表示部に表示する。その登録画面には、登録者を識別するためにログインすることが必要である。例えば、図１０に示すような登録画面から製作されたコンテンツをコンテンツ管理サーバ２００に対して登録する。
図９に示すように、「ＧｅｅＭＡ  Ｇａｔｅｗａｙ」は登録されたコンテンツを楽曲データベース等に保存して管理する。また、登録者側装置１００が「ＧｅｅＭＡ  Ｇａｔｅｗａｙ」により実現される所定のＷｅｂ管理画面から「ＧｅｅＭＡ  Ｐｒｅｓｅｎｔｅｒ」に実装された新機能に関するコンテンツを所定の楽曲へ後付けで紐付けて登録する編集などが可能であってもよい。
また、登録者その他の者（アーティストを含む）により製作される楽曲データを含むコンテンツは、例えば図９に示すように、楽曲データ（音声データを含んでてもよい）に、テキストデータ（歌詞）、その他の情報（ライブイベント情報等）に関するデータ、画像（静止画・動画）データ等が付加されたデータである。年配の方向けの演歌や、年配の方のかつての夢をかなえる自作楽曲、辞世の句等も広く含む。したがって、例えばアーティスト側で「楽曲」と「情報」を結びつけることや、楽曲を登録・管理することが簡単にできるようになり、「ＧｅｅＭＡ  Ｐｒｅｓｅｎｔｅｒ」に実装された新機能等を手軽に楽しめる。
図９に示すように、登録者その他の者は、テキストデータ（歌詞）、その他の情報（ライブイベント情報等）に関するデータ、画像（静止画・動画）データ等にそれぞれ「表示のさせ方」を司る機能を有するＡＰＩ（Application Program Interface）を選定する。ＡＰＩの機能には、「静的表示」、「楽曲同期」、「外部連携」等があり、需要者側装置４００の表示部への見せ方・魅せ方を様々に編集可能である。なお、以下ではプラグインを含めてＡＰＩということがある。詳しくは、「ＧｅｅＭＡ  Ｐｒｅｓｅｎｔｅｒ」についての箇所で後述する。
なお、コンテンツ管理サーバ２００が、多数の動画像データを保存可能な大容量の記憶手段を備え、かつ、データ量の大きい動画像データをスムーズに提供可能な大回線の伝送手段を備えていれば、コンテンツに写真等の静止画以外の動画像データが付加されていても容易に取り扱うことが可能となる。
【００３０】
図４に戻り、コンテンツ管理サーバ２００のコンテンツ関連情報送信部２０２は、登録されたコンテンツに関する情報（例えば、ジャケ写に相当するアイコン等）を基盤アプリ提供者側装置３００に対して送信する（ステップＳ４０３）。
【００３１】
基盤アプリ提供者側装置３００のコンテンツ表示公開部３０１は、登録されたコンテンツがダウンロード可能である旨の表示としてのアイコン等を需要者側装置４００に対して公開（図３参照）する（ステップＳ４０４）。
具体的には、例えば、図５（１）及び図６に示すような画面にコンテンツのアーティストのジャケ写風のアイコン等を需要者側装置４００の表示部にクリックや指による押圧等で選択可能に表示する。
さらに、コンテンツが複数の楽曲等を含むアルバム形式である場合等には、例えば、図５（２）及び図７に示すような、「ＧｅｅＭＡ  Ｐｒｅｓｅｎｔｅｒ」により実現されるアーティストアルバム画面に各楽曲等のアイコン等をそれぞれ需要者側装置４００の表示部にクリックや指による押圧等で選択可能に表示する。図７を参照すると、２つの楽曲のそれぞれのアーティストの写真、作品名、作詞者名、作曲者名が矢印状領域において表示される。これは、図６のコンテンツのアイコン等が選択されると、コンテンツ管理サーバ２００から楽曲リストデータをダウンロードすることで表示される。
また、上記の一つの矢印状領域が選択されると、コンテンツ管理サーバ２００から試聴データをダウンロードして出力することであってもよい。試聴データの視聴中は、図７のアーティストアルバム画面の上部に設けられる再生ボタン、早送りボタン、巻き戻しボタンの各アイコンが選択されてそれらの機能が実現される。
なお、複数のコンテンツの存在を示す表示とは図７のそれぞれの矢印状領域等をいう。
【００３２】
需要者側装置４００のコンテンツダウンロード部４０１は、需要者により図７の矢印状領域等が選択されてコンテンツがリクエストされると、そのコンテンツをコンテンツ管理サーバ２００からダウンロード（図３参照）する（ステップＳ４０５）。コンテンツダウンロード部４０１は、複数のコンテンツを一組として取り扱う場合、例えば、複数の楽曲からなるＣＤアルバムに類似したパッケージ等、該複数のコンテンツの存在を示す表示（アイコン等）を出力するとともに、該複数のコンテンツの一部分（１曲のみ等）を最初のダウンロード動作の実施によりダウンロードする。そして、該複数のコンテンツの残りの部分については需要者により、２曲目以降の存在を示す表示（アイコン等）が選択されるにしたがって一部分（１曲）ずつ段階的にダウンロードすることであってもよい。
一度ダウンロードしたコンテンツは、需要者側装置４００としての対応端末のＳＤカードに暗号化・ＰＷロックによる鍵付き又は鍵なしの形式で保存され、再度ネットワーク回線に繋がなくてもコンテンツを再生して楽しめることであってもよい。なお、ここでのダウンロードには楽曲等のストリーミング提供が含まれる。
また、コンテンツ管理サーバ２００のコンテンツ提供部２０４は、登録されたコンテンツを需要者側装置４００に対して提供する。
また、コンテンツ管理サーバ２００側では、ダウンロードされた各コンテンツを管理する。有料コンテンツは、需要者側装置４００の需要者の識別情報としてのユーザアカウント毎に紐付けて暗号化する。
【００３３】
そして、需要者側装置４００のコンテンツ出力部４０２は、ダウンロードされたコンテンツを出力（図３参照）する（ステップＳ４０６）。
具体的には、楽曲等の音データをスピーカにより聴覚で知覚可能に出力して再生するとともに、例えば、図５（４）及び図８に示すよう、「ＧｅｅＭＡ  Ｐｒｅｓｅｎｔｅｒ」により実現される再生画面を需要者側装置４００の表示部に表示する。
図８（ａ）に示すように、再生画面の上部には、プレイヤー機能を実現する再生ボタン、早送りボタン、巻き戻しボタンの各アイコンが選択可能に表示される。再生画面には、広告表示がなされてもよく、そうすると特に無料のコンテンツの場合は有効となる。
再生画面中央部には大きくＡＰＩ画面が表示される。例えば、楽曲等の詩等が表示される。なお、需要者による操作に応じて小さくポップアップのＡＰＩ画面が表示されてもよい。
また、その再生画面の下部には、ＡＰＩ画面を切り替えるための複数のアイコンがクリックや指による押圧等で選択可能に表示される。例えば、「ＴＯＰ」、「ＳＯＮＧ」、「ＰＨＯＴＯ」、「ＩＮＦＯ」、「ＬＩＮＫ」等である。
図８（ｂ）は、楽曲等の再生中に、ＡＰＩ画面を切り替えるアイコンが選択された場合における切り替えられた後の再生画面を示す図である。ＡＰＩの詳細を以下に説明する。
まず、楽曲非同期／静的機能がある。例えば、テキスト表示（歌詞表示等に使用可能）、楽譜表示、再生楽曲の総合的な情報提示（収録風景等の表示）、アーティストの写真表示（声への興味よりも写真集として活用）、画像表示（アルバムジャケット等に相当するものとして使用すると音楽単体のダウンロードに比べて所有感を増大させる）、外部リンク（アーティストのホームページ・ブログ等への遷移）がある。
また、楽曲同期機能がある。例えば、歌詞カラオケ表示（該当部分の文字の色変更やハイライト）、楽譜の演奏部分提示・譜めくり、楽曲タイムライン表示（ポイントを描画）、楽曲の所定のタイミングで情報を掲示、「Ａメロではこんな葛藤が・・・」「ここはこだわった」「ここはどんな気持ちでこうなった」「ここは失敗続きで挫折しかけた」のような「曲の内部構造」へのアクセス、楽曲完成までの履歴の提示（リテイク前音源、歌詞・メロディラインの変遷、時間軸）、パート切り替え（カラオケトラック、パートミュート、カラオケトラック、ギタートラック、リズムパートのみなど）、別バージョン楽曲への切り替えがある。
また、動的機能がある。例えば、Ｆａｃｅｂｏｏｋ（登録商標）／Ｔｗｉｔｔｅｒ（登録商標）連携（アーティスト最新情報の提供）、Ｙｏｕｔｕｂｅ（登録商標）連携（ＰＶ等へのアクセス）、Ｇｏｏｇｏｌｅ  Ｍａｐ（登録商標）連携（イベント会場へのアクセス）がある。
これらの各ＡＰＩ機能を有するＡＰＩ画面を適宜切り替えることで様々なコンテンツの見せ方・魅せ方が実現される。例えば、カラオケバージョンの楽曲データの再生と同時に、カラオケ字幕データを出力することで、カラオケＢＯＸ等にはない、インディーズの楽曲のカラオケを楽しむことができ、既存のＣＤとは異なる楽しみ方が可能となる。
また、「ＧｅｅＭＡ  Ｐｒｅｓｅｎｔｅｒ」により実現されるアーティストアルバム画面及び再生画面の基本画面フレームは、共通であり、この基本画面フレーム上でＡＰＩ画面が様々に切り替えられる。なお、基本画面フレームは、スキン的に全体の模様やカラーバリエーションが変更可能である。
【００３４】
通信事業者側装置５００の料金情報取得部５０１は、基盤アプリケーションとしてのＧｏｏｇｌｅ  Ｐｌａｙ  Ａｐｐ  Ｓｔｏｒｅを介してコンテンツのダウンロードに関する情報を収集する基盤アプリ提供者側装置３００の料金情報提供部３０２から需要者側装置４００のコンテンツのダウンロードに応じたダウンロード料金に関する情報を取得（図３参照）する（ステップＳ４０７）。また、コンテンツ管理サーバ２００も基盤アプリ提供者側装置３００の料金情報提供部３０２から需要者側装置４００のコンテンツのダウンロードに応じたダウンロード料金に関する情報を取得（図３参照）する（ステップＳ４０７）。なお、一部のコンテンツのダウンロードに応じたダウンロード料金は無料であってもよい。
【００３５】
通信事業者側装置５００の課金部５０２は、その通信事業者が提供する通信サービスを利用する機能を備える需要者側装置４００に対して、該通信サービスの利用に応じた通信料金及びダウンロード料金に関する情報に基づくダウンロード料金を課金（図３参照）する（ステップＳ４０８）。
【００３６】
通信事業者側装置５００は、需要者側装置４００から支払われた料金の少なくとも一部をコンテンツ管理サーバ２００の料金受領部２０５に対して支払う（図３参照）（ステップＳ４０９）。なお、通信事業者側装置５００は、需要者側装置４００から支払われた料金の少なくとも一部を基盤アプリ提供者側装置３００若しくは基盤アプリケーション又は基盤アプリケーションがインストール可能なプラットフォームがインストールされた需要者側装置４００の製造者（端末メーカ）が利用する製造者側装置（不図示）に対して支払うことであってもよい。
【００３７】
コンテンツ管理サーバ２００の料金還元部２０６は、通信事業者側装置５００から支払われた料金の少なくとも一部を登録者側装置１００の料金受領部１０２に対して支払う（図３参照）（ステップＳ４１０）。また、コンテンツ管理サーバ２００は、統計情報、意見・要望等の情報をフィードバックのために登録者側装置１００に対して送信することであってもよい。
【００３８】
上記の本実施の形態によれば、ＧｅｅＭＡを通じて、アーティスト側で簡単に楽曲を登録・管理でき、アーティストにもユーザにも優しい従来にないコンテンツ提供システムが実現可能となる。なお、楽曲はＪＡＳＲＡＣ（登録商標）に登録して使用料を支払うことで違法コピー等の問題に対して適切な措置がとられる。
また、上記の本実施の形態によれば、コンテンツのダウンロードに対する課金の手法として、需要者側装置４００の通信利用料金と併せて通信事業者側で課金及び回収を行うことにより、確実な料金徴収が実現できる。特に、近年は若年層を中心に、出費に対する携帯電話機・スマートフォン等の通信料金の割合が増加傾向にある一方で、その通信料金はライフスタイルに深く関わるため未払いによるサービス利用停止による個々人への影響が大きいため通信料金の未払いは少ない。そのような事情の下で既存の確立された通信料金の料金回収システムに組み込まれて課金された料金が違和感や躊躇無く確実に徴収されることの有益性は極めて大きい。
【００３９】
なお、基盤アプリ提供者側装置３００が提供する基盤アプリケーションとして、例えば、Ａｐｐｌｅ（登録商標）がｉＰｈｏｎｅ等において提供するｉＴｕｎｅ  Ａｐｐ  Ｓｔｏｒｅ、Ａｍａｚｏｎ（登録商標）が提供するＡｐｐ  Ｓｔｏｒｅ等であってもよい。
【００４０】
第２の実施の形態として、コンテンツ管理サーバ２００はＷｅｂサイト公開部２０７を備える。Ｗｅｂサイト公開部２０７は、登録されたコンテンツに関する所定のＷｅｂサイトを需要者側装置４００に対して公開する機能を有している。
具体的には、例えば、図１１に示すような、「ＧｅｅＭＡ  Ｐｏｒｔａｌ」により実現されるＧｅｅＭＡのメイン画面を需要者側装置４００の表示部に表示する。そのメイン画面には、「マイリスト」、「お勧め試聴」、「新機能アクセス」、「マイページ」、「ＧｅｅＭＡ  Ｓｅａｒｃｈ」、「ＧｅｅＭＡ  Ｌｉｎｋｓ」、「お知らせ」、「新着情報」、「注目アーティスト更新情報」のタブやアイコンがクリックや指による押圧等で選択可能に表示される。
ここで「マイリスト」とは、過去にダウンロード済み（購入済み）のコンテンツの一覧（もし存在すれば）である。「マイリスト」のコンテンツを選択して繰り返し出力することができる。
「お勧め試聴」とは、無料で試聴可能なコンテンツの一覧である。「お勧め試聴」のコンテンツを選択するとコンテンツの一部又は全部が無料で出力されて、有料で購入するか否かの判断の材料とすることができる。
「新機能アクセス」は、ＧｅｅＭＡの新機能を紹介する機能を有している。
「マイページ」には、「お知らせ」、「新着情報」、「注目アーティスト更新情報」等の需要者（ユーザ）の個人用の情報がある。「新着情報」や「注目アーティスト更新情報」で表示されるコンテンツを選択してコンテンツのダウンロード画面を表示することができる。
「ＧｅｅＭＡ  Ｓｅａｒｃｈ」は、好みのコンテンツを検索する機能を有している。検索結果で表示されるコンテンツを選択してコンテンツのダウンロード画面を表示することができる。
「ＧｅｅＭＡ  Ｌｉｎｋｓ」とは、種々のリンク先の一覧である。
【００４１】
なお、上述する各実施の形態は、本発明の好適な実施の形態であり、本発明の要旨を逸脱しない範囲内において種々変更実施が可能である。例えば、各装置・システムの機能を実現するためのプログラムを各装置・システム等に読込ませて実行することにより各装置・システム等の機能を実現する処理を行ってもよい。さらに、そのプログラムは、コンピュータ読み取り可能な記録媒体であるＣＤ−ＲＯＭ又は光磁気ディスクなどを介して、又は伝送媒体であるインターネット、電話回線等を介して伝送波により他のコンピュータシステムに伝送されてもよい。また、一部のシステムが人の動作を介在して実現されてもよい。コンテンツ管理サーバ２００が提供するサービス・システムは、ＧｅｅＭＡに限らず、種々のものが適用可能である。
【符号の説明】
【００４２】
１０      コンテンツ提供システム
１００    登録者側装置
２００    コンテンツ管理サーバ
３００    基盤アプリ提供者側装置
４００    需要者側装置
５００    通信事業者側装置
【図１】
2013254281.tif 000003
【図２】
2013254281.tif 000004
【図３】
2013254281.tif 000005
【図４】
2013254281.tif 000006
【図１０】
2013254281.tif 000007
【図５】
2013254281.tif 000008
【図６】
2013254281.tif 000009
【図７】
2013254281.tif 000010
【図８】
2013254281.tif 000011
【図９】
2013254281.tif 000012
【図１１】
2013254281.tif 000013